【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
底部および開口を有するコンデンサケースと、
前記コンデンサケースに収容され、第一電極Ｅ１および第二電極Ｅ２を備えるコンデンサ素子と、
前記第一電極Ｅ１に接続される第一固定端子Ｔ１と、
前記第二電極Ｅ２に接続される第二固定端子Ｔ２と、
前記コンデンサケースに部分的に収容され、自由端を備える可動端子と、
前記可動端子の第一部分を固定する固定部と、を備え、
前記第一固定端子Ｔ１および前記第二固定端子Ｔ２は、それぞれ前記コンデンサケースの外部に向かって延伸する延伸部を有し、
前記自由端は、前記コンデンサケースの外部に導出されており、
前記固定部は、前記自由端が、前記延伸部と同じ方向に延伸するように、前記第一部分を固定している、コンデンサ。
【請求項２】
前記延伸部はいずれも、前記開口から前記底部に対して垂直に延伸している、請求項１に記載のコンデンサ。
【請求項３】
前記固定部が、前記コンデンサケースの前記開口付近に配置されている、請求項１または２に記載のコンデンサ。
【請求項４】
さらに、前記延伸部と同じ方向に向かって、前記固定部から前記コンデンサケースの外部へと延設された仮固定部を有しており、
前記可動端子の第二部分が、前記仮固定部に脱着自在に仮固定されている、請求項３に記載のコンデンサ。
【請求項５】
前記固定部が、第一溝または第一レールを有する樹脂部材であり、
前記第一溝または前記第一レールに、前記第一部分が収容される、請求項３または４に記載のコンデンサ。
【請求項６】
前記固定部が、前記第一部分との接触部分に凸部を備えており、
前記凸部が、前記第一部分を前記第一溝または前記第一レールの内側に押圧する、請求項５に記載のコンデンサ。
【請求項７】
前記仮固定部が、第二溝または第二レールを備える柱状体であり、
前記第二溝または前記第二レールに、前記第二部分が収容される、請求項４〜６に記載のコンデンサ。
【請求項８】
前記柱状体の延設方向に対して垂直な断面の内側が、Ｕ字形状である、請求項７に記載のコンデンサ。
【請求項９】
前記仮固定部が、前記第二部分との接触部分に凸部を備えており、
前記凸部が、前記第二部分を前記第二溝または前記第二レールの内側に押圧する、請求項７または８に記載のコンデンサ。
【請求項１０】
前記第一固定端子Ｔ１および前記第二固定端子Ｔ２のそれぞれの前記延伸部が、互いに近接するとともに、絶縁板により絶縁されており、
前記固定部が、前記絶縁板と一体に形成されている、請求項１〜９のいずれか一項に記載のコンデンサ。
【請求項１１】
前記仮固定部が、前記絶縁板と一体に形成されている、請求項１０に記載のコンデンサ。
【請求項１２】
前記コンデンサケースが、前記固定部を覆う保護部を備える、請求項１０または１１に記載のコンデンサ。
【請求項１３】
前記コンデンサ素子を覆い、かつ、前記第一固定端子Ｔ１および前記第二固定端子Ｔ２の前記延伸部と、前記自由端とを覆わないように、前記コンデンサケースの内部に充填される熱硬化性樹脂を備える、請求項１〜１２のいずれか一項に記載のコンデンサ。
【請求項１４】
請求項１〜１３のいずれか一項に記載のコンデンサと、
前記コンデンサと電気的に接続され、かつ、スイッチング素子を備えるパワーモジュールと、
これらを収容するインバータケースと、を備えるインバータ。
【手続補正２】
【補正対象書類名】明細書
【補正対象項目名】００１６
【補正方法】変更
【補正の内容】
【００１６】
前記仮固定部は、第二溝または第二レールを備える柱状体であり、前記第二溝または前記第二レールに、前記第二部分が収容されることが好ましい。さらに、前記柱状体の前記延設方向に対して垂直な断面の内側は、Ｕ字形状であることが好ましい。成形が容易なためである。
【手続補正３】
【補正対象書類名】明細書
【補正対象項目名】００３０
【補正方法】変更
【補正の内容】
【００３０】
コンデンサ素子Ｃ１は、第一電極Ｅ１１および第二電極Ｅ１２を備えている。各電極は、例えばメタリコン電極である。第一電極Ｅ１１には、第一固定端子Ｔ１が接続されている。第一固定端子Ｔ１は、第一電極Ｅ１１に接続するバスバー部分Ｔ１ｃと、第一固定端子Ｔ１の屈曲部Ｔ１ａから端部Ｔ１ｂまでの領域である端子部分とを備える。端子部分は、端部Ｔ１ｂを含み、かつ、コンデンサケース４から外部に向かって延伸し、コンデンサケース４から露出する第一延伸部Ｔ１ｄを備える。コンデンサ素子Ｃ１が、複数のコンデンサ素子により構成されている場合、各コンデンサ素子の第一電極同士は、バスバー部分Ｔ１ｃによって接続される。
【手続補正４】
【補正対象書類名】明細書
【補正対象項目名】００３２
【補正方法】変更
【補正の内容】
【００３２】
コンデンサ素子Ｃ２も同様に、例えばメタリコン電極である第一電極Ｅ２１および第二電極Ｅ２２を備える。第一電極Ｅ２１は、バスバー部分Ｔ１ｃに接続しており、コンデンサ素子Ｃ１の第一電極Ｅ１１と同電位である。第二電極Ｅ２２には、第三固定端子Ｔ３が接続しており、第三固定端子Ｔ３には、可動端子３が接続している。
【手続補正５】
【補正対象書類名】明細書
【補正対象項目名】００６９
【補正方法】変更
【補正の内容】
【００６９】
コンデンサ素子Ｃの種類は特に限定されず、例えば、フィルムコンデンサ、タンタルコンデンサ、アルミ電解コンデンサ等を例示することができる。なかでも、誘電損失が小さく、耐電圧に優れる点で、フィルムコンデンサであることが好ましい。
【手続補正６】
【補正対象書類名】明細書
【補正対象項目名】００７１
【補正方法】変更
【補正の内容】
【００７１】
樹脂フィルムの材質としては、特に限定されないが、ポリプロピレン、ポリエチレンテレフタレート、ポリエチレンナフタレート、ポリフェニルサルファイド、ポリスチレンなどが例示できる。なかでも、誘電損失が特に小さい点で、ポリプロピレンであることが好ましい。
【手続補正７】
【補正対象書類名】明細書
【補正対象項目名】００７３
【補正方法】変更
【補正の内容】
【００７３】
積層された電極群の主面と垂直な端面、あるいは捲回された電極の端面には、例えば、金属溶射による電極（メタリコン電極）が形成され、コンデンサ素子Ｃが作製される。コンデンサ素子Ｃの第一電極Ｅ１には、第一固定端子Ｔ１が接続している。第一固定端子Ｔ１は、第一電極Ｅ１に接続するバスバー部分Ｔ１ｃと、第一固定端子Ｔ１の屈曲部Ｔ１ａから端部Ｔ１ｂまでの領域である端子部分とを備える。端子部分の一部は、コンデンサケース４から延伸する第一延伸部Ｔ１ｄである。バスバー部分Ｔ１ｃと端子部分とは、例えば、銅製の金属板を曲げ加工することにより、形成することができる。
【手続補正８】
【補正対象書類名】明細書
【補正対象項目名】００７４
【補正方法】変更
【補正の内容】
【００７４】
コンデンサ素子Ｃが、複数のコンデンサ素子により構成されている場合、各コンデンサ素子の第一電極Ｅ１同士は、例えば、バスバー部分Ｔ１ｃによって接続される。
【手続補正９】
【補正対象書類名】明細書
【補正対象項目名】００７５
【補正方法】変更
【補正の内容】
【００７５】
コンデンサ素子Ｃの第二電極Ｅ２は、第二固定端子Ｔ２に接続している。第二固定端子Ｔ２は、第二電極Ｅ２に接続するバスバー部分Ｔ２ｃと、第二固定端子Ｔ２の屈曲部Ｔ２ａから端部Ｔ２ｂまでの領域である端子部分とを備える。端子部分の一部は、コンデンサケース４から延伸する第二延伸部Ｔ２ｄである。バスバー部分Ｔ２ｃと端子部分とは、上記と同様、銅製の金属板を曲げ加工することにより形成されていても良い。
【手続補正１０】
【補正対象書類名】明細書
【補正対象項目名】００７６
【補正方法】変更
【補正の内容】
【００７６】
コンデンサ素子Ｃの第二電極Ｅ２には、さらに第三固定端子Ｔ３が接続していても良い。第三固定端子Ｔ３には、可動端子３が接続していても良い。